(57)【要約】  【課題】絞りリングの回転時における摩擦抵抗を小さくすることが可能である上に、絞りリングの姿勢を常に好適に維持できるようにしたカメラ用絞り装置を提供すること。  【解決手段】絞りリング２は、地板１の収容部１ｃに回転可能に配置されていて、三つのカム溝２ａ，２ｂ，２ｃを有しているほか、外周面には、歯車３に噛合する歯部２ｇと突起部２ｈを形成している。また、３枚の絞り羽根６，７，８は、そのピン６ｂ，７ｂ，８ｂを、上記のカム溝２ａ，２ｂ，２ｃに嵌合させている。そして、絞りリング２が回転するときは、その外周面が、地板１に設けられた突起部１ｉ，１ｊ，１ｋに摺接し、突起部２ｈが、収容部１ｃの側壁１ｄに摺接するようになっている。【選択図】  図１
2007298729.tif 000002
【特許請求の範囲】
【請求項１】
撮影光路用の開口部を囲むようにして羽根室側の面に環状の収容部を有していて該収容部には壁面を該開口部側に向けた側壁が形成されている地板と、前記地板に取り付けられているモータと、前記モータによって往復回転させられる歯車と、複数の細長いカム溝を所定の角度間隔となるように形成していて前記収容部に配置されており外周面には所定の角度範囲にわたって前記歯車に噛合する歯部が形成されているほか該歯部の近傍位置に前記側壁に摺接する突起部が形成されていて撮影に際しては最大絞り開口制御位置と最小絞り開口制御位置との間で回転させられ所定の制御位置で停止させられる絞りリングと、前記開口部を囲む略等角度間隔位置で前記地板に回転可能に取り付けられていて各々が前記カム溝に嵌合させた連結ピンを有しており前記絞りリングの制御位置に対応した絞り開口を協働して規制する複数枚の絞り羽根と、を備えていることを特徴とするカメラ用絞り装置。
【請求項２】
前記側壁に、前記絞りリングの外周面と摺接する少なくとも二つの突起部が形成されていることを特徴とする請求項１に記載のカメラ用絞り装置。
【請求項３】
前記絞りリングの外周面に、前記突起部のほか、前記側壁に摺接する少なくとも二つの突起部が形成されていることを特徴とする請求項１に記載のカメラ用絞り装置。
【発明の詳細な説明】
【技術分野】
【０００１】
本発明は、スチルカメラやビデオカメラに用いて好適な絞り装置に関する。
【背景技術】
【０００２】
カメラ用絞り装置の中には、複数枚の絞り羽根が、撮影光路用開口部の周囲において、地板に対して所定の角度間隔で回転可能に取り付けられおり、撮影光路用開口部を囲むように配置された絞りリングが往復回転させられると、それらの絞り羽根が同時に同じ方向へ回転させられ、絞り開口の大きさを変化させるようにしたものがある。そして、その絞りリングは、最近では、下記の特許文献１にも記載されているように、地板に取り付けられたステップモータによって回転させられるのが一般的である。本発明は、そのように構成されたカメラ用絞り装置に関するものである。
【０００３】
【特許文献１】特開２００２−２５８３４７号公報
【発明の開示】
【発明が解決しようとする課題】
【０００４】
ところで、特許文献１に記載の絞り装置は、その図面からも明らかなように、地板の撮影光路用開口部の周りに環状の収容部を設けており、上記の絞りリングは、その収容部内に回転可能に配置されている。そして、その収容部の外形を規制している地板の側壁には、三つの円弧状をした突起部が形成されており、絞りリングの外周面が、それらの突起部に摺接するようになっている。また、絞りリングは、その回転によって突起部に摺接することのない外周面に、所定の角度範囲にわたって歯部を形成しており、歯車を介し、ステップモータによって回転させられるようになっている。
【０００５】
このように、上記の三つの突起部は、絞りリングが、光軸に対して垂直方向へ移動するのを規制していると同時に、収容部の側壁との摩擦を小さくし、絞りリングが円滑に回転できるようにする役目をしている。そのため、本来であれば、それらの三つの突起部を約１２０度の角度間隔で形成しておくようにするのが理想的である。ところが、そのように構成しようとすると、それらの突起部の一つを、どうしても歯部の作動角度範囲内に形成せざるを得なくなってしまうため、特許文献１に記載の構成においては、やむを得ず、約１８０度の角度範囲内に三つの突起部を形成している。そのため、絞りリングの歯部と歯車の歯部との噛み合いが高精度に得られないと、絞りリングにガタツキが生じ、作動が円滑に行えなくなったり、姿勢が不安定になって小さい絞り開口が好適に得られなくなったりするという問題点がある。
【０００６】
本発明は、このような問題点を解決するためになされたものであり、その目的とするところは、絞りリングが、環状の収容部に配置されており、ステップモータによって歯車を介して回転させられ、複数枚の絞り羽根を同時に同じ方向へ回転させて絞り開口の大きさを変化させるようにした絞り装置において、絞りリングの回転時における摩擦抵抗を小さくすることが可能である上に、絞りリングの姿勢を常に好適に維持できるようにしたカメラ用絞り装置を提供することである。
【課題を解決するための手段】
【０００７】
上記の目的を達成するために、本発明のカメラ用絞り装置は、撮影光路用の開口部を囲むようにして羽根室側の面に環状の収容部を有していて該収容部には壁面を該開口部側に向けた側壁が形成されている地板と、前記地板に取り付けられているモータと、前記モータによって往復回転させられる歯車と、複数の細長いカム溝を所定の角度間隔となるように形成していて前記収容部に配置されており外周面には所定の角度範囲にわたって前記歯車に噛合する歯部が形成されているほか該歯部の近傍位置に前記側壁に摺接する突起部が形成されていて撮影に際しては最大絞り開口制御位置と最小絞り開口制御位置との間で回転させられ所定の制御位置で停止させられる絞りリングと、前記開口部を囲む略等角度間隔位置で前記地板に回転可能に取り付けられていて各々が前記カム溝に嵌合させた連結ピンを有しており前記絞りリングの制御位置に対応した絞り開口を協働して規制する複数枚の絞り羽根と、を備えている。
【０００８】
その場合、前記側壁に、前記絞りリングの外周面と摺接する少なくとも二つの突起部が形成されているようにしてもよいし、前記絞りリングの外周面に、前記突起部のほか、前記側壁に摺接する少なくとも二つの突起部が形成されているようにしてもよい。
【発明の効果】
【０００９】
本発明は、絞りリングが、地板に形成された環状の収容部に配置されており、ステップモータによって歯車を介して回転させられ、複数枚の絞り羽根を同時に同じ方向へ回転させて絞り開口の大きさを変化させるようにした絞り装置において、歯車に噛合させるために絞りリングの外周面に形成されている歯部の近傍位置に、収容部の側壁に摺接させるための突起部を設けるようにしたので、絞りリングの回転時における摩擦抵抗を小さくすることが可能である上に、絞りリングの、光軸に対する垂直な方向への移動を好適に規制することが可能になる。
【発明を実施するための最良の形態】
【００１０】
本発明の実施の形態を、図示した実施例によって説明する。尚、図１は、絞りリングが最大絞り開口制御位置にある状態を示した平面図である。また、図２は、実施例に用いられている地板の平面図であり、図３は、絞りリングの平面図であって、図４は、絞りリングを地板に組み付ける過程を示した平面図であり、図５は、絞りリングが地板に組み付けられた状態を示す平面図である。更に、図６は、絞りリングが最小絞り開口制御位置にある状態を示した平面図である。尚、図１及び図６は、羽根室の内部の構成を分かり易くするために、地板との間に羽根室を構成しているカバー板の図示を省略して示したものである。
【実施例】
【００１１】
先ず、本実施例の構成を説明する。図２は、地板１を羽根室側から見た平面図であるが、この地板１は、合成樹脂製であって、その略中央部に、光軸Ｏを中心にして円形をした撮影光路用の開口部１ａが形成されている。また、この地板１との間に羽根室を構成している図示していないカバー板は、適宜な手段によって、基準面１ｂに接触して地板１に取り付けられるようになっている。そして、そのカバー板にも略中央部に円形をした撮影光路用の開口部が形成されているが、本実施例の場合には、開口部１ａの直径の方が若干小さくなっている。尚、本実施例の絞り装置は、絞り装置だけをユニットとして構成したものであるが、本発明は、そのような構成に限定されず、シャッタ装置などと共に一つのユニットとして構成しても構わない。そして、そのように構成する場合には、周知のように、地板１とカバー板との間を中間板で仕切り、もう一つの羽根室を構成するのが一般的である。
【００１２】
この地板１には、光軸Ｏに向けて順に、直径が小さくなるようにして、且つ基準面１ｂから深くなるようにして、環状の二つの凹部が形成されているが、それらのうち直径の大きな環状凹部が、図３に示されている絞りリング２の収容部１ｃになっている。そして、壁面を開口部１ａに向けて形成されている収容部１ｃの側壁１ｄには、収容部１ｃの底面との間に所定の間隔を空けるようにして、三つの押さえ片１ｅ，１ｆ，１ｇが形成されている。また、その側壁１ｄには、収容部１ｃ内に向けて二つの突起部１ｉ，１ｊが形成されている。更に、本実施例の場合には、地板１の形状に制約を受けているため、側壁１ｄを円形に形成することができず一部が欠落していることから、突起部１ｉ，１ｊに相当する部位として、収容部１ｃの底部に突起部１ｋを形成している。
【００１３】
地板１には、三つの羽根取付部１ｍ，１ｎ，１ｐが、収容部１ｃの周囲の３箇所に連設されている。これらの羽根取付部１ｍ，１ｎ，１ｐは、収容部１ｃよりも浅い凹部として形成されていて、それらの底面には夫々孔１ｑ，１ｒ，１ｓが設けられている。また、地板１には、後述する歯車３の収容部１ｔが上記の収容部１ｃに連設され、さらにその歯車３の収容部１ｔに後述する回転子４の収容部１ｕが連設されている。そして、それらのうち、歯車３の収容部１ｔは、収容部１ｃよりもかなり浅くて直径の大きな円弧状の凹部と、収容部１ｃよりも若干深くて直径の小さな円形の凹部からなっていて、その円形の凹部の底面には孔１ｖが形成されている。また、回転子４の収容部１ｕは、地板１の背面側に円筒状に突き出して形成されており、その底面には軸１ｗが立設されている。
【００１４】
図３に示されている本実施例の絞りリング２は、金属製であって、所定の角度間隔で細長い三つのカム溝２ａ，２ｂ，２ｃを形成しており、外周面には、三つの切欠き部２ｄ，２ｅ，２ｆと、所定の角度範囲にわたって歯部２ｇが形成されているほか、その歯部２ｇの近傍位置には円弧状をした突起部２ｈが形成されている。そこで、この絞りリング２が、地板１に対して、どのようにして組み付けられるかを、図４及び図５を用いて説明する。図４は、絞りリング２の三つの切欠き部２ｄ，２ｅ，２ｆを、地板１の三つの押さえ片１ｅ，１ｆ，１ｇの位置に合せ、絞りリング２を地板１の収容部１ｃに落とし込んだ状態を示したものである。そして、この状態において、絞りリング２の外周面は、地板１の突起部１ｉ，１ｊ，１ｋに接触し得るようになり、絞りリング２の外周面に形成された突起部２ｈは、地板１の側壁１ｄに接触し得るようになる。
【００１５】
図５は、このような図４の状態から、絞りリング２を僅かに時計方向へ回転させた状態を示したものである。このような状態になると、押さえ片１ｅ，１ｆ，１ｇと切欠き部２ｄ，２ｅ，２ｆの位置がずれたことによって、絞りリング２は、押さえ片１ｅ，１ｆ，１ｇによって押さえられ、収容部１ｃからは取り出せなくなっている。そして、後述の説明からも分かるように、本実施例の場合には、この図５に示された位置が、絞りリング２にとっての最小絞り開口制御位置と略同じ位置であって、撮影を行うときには、絞りリング２は、その最小絞り開口制御位置から時計方向へ回転させられることはあっても、反時計方向へ回転させられることはないようになっている。
【００１６】
このような本実施例の絞りリング２は、特許文献１に記載されているステップモータと実質的に同じ構成のステップモータによって回転させられるようになっている。しかしながら、両者のステップモータは、回転子の軸支構成が若干異なるだけであり、固定子の構成は全く同じである。そのため、図１及び図６においては、地板１の背面側に配置された二つのヨークに取り付けられていて、各々コイルを巻回している二つのボビンの配置状態だけを破線で示しておき、固定子についての詳細な説明は省略することにする。そこで、次に、本実施例の回転子４の軸支構成と、絞りリング２への伝達構成を説明する。
【００１７】
上記のようにして、絞りリング２を図５に示された状態にした後、図６に示されているように、上記の収容部１ｔには歯車３が組み付けられ、上記の収容部１ｕには回転子４が組み付けられる。先ず、歯車３は、大歯車と小歯車からなる２段歯車であり、小歯車の方を地板１側にして絞りリング２の歯部２ｇに噛合させ、回転軸の一端を、上記の孔１ｖに対して回転可能に嵌合させている。また、その回転軸の他端は、図示していない上記のカバー板に形成された孔に対して回転可能に嵌合させるようにしている。次に、回転子４は、４極に着磁された永久磁石製の回転子であって、一体化されている歯車５と共に、上記の軸１ｗに回転可能に取り付けられており、その歯車５を上記の歯車３の大歯車に噛合させている。
【００１８】
尚、歯車３の組み付けと回転子４の組み付けは、どちらを先に行っても構わない。また、本実施例の場合には、回転子４の回転を、歯車３によって減速し、絞りリング２に伝達するようにしているが、本発明は、そのような構成に限定されず、例えば、歯車５を絞りリング２の歯部２ｇに直接噛合させるようにしても構わない。更に、本発明の絞り装置は、絞りリング２をステップモータによって回転させるものに限定されず、例えば、歯部２ｇに噛合した歯車を介し、手動で回転させるようにしても差し支えない。
【００１９】
最後に、図６には、３枚の絞り羽根６，７，８が示されている。本実施例の場合、これらの絞り羽根６，７，８は合成樹脂製であるが、金属製にしても差し支えない。そして、それらの絞り羽根６，７，８は、軸部６ａ，７ａ，８ａと、ピン６ｂ，７ｂ，８ｂとを有していて、軸部６ａ，７ａ，８ａを、上記の孔１ｑ，１ｒ，１ｓに対して回転可能に嵌合させ、ピン６ｂ，７ｂ，８ｂを、上記のカム溝２ａ，２ｂ，２ｃに対して挿入している。また、それらの絞り羽根６，７，８は、図示していないカバー板を地板１に取り付けることによって、それらの軸部６ａ，７ａ，８ａが上記の孔１ｑ，１ｒ，１ｓから抜けないようになっている。
【００２０】
次に、図１及び図６を用いて、本実施例の作動を説明する。図１は、絞りリング２が初期位置にある撮影待機状態を示したものであり、絞りリング２にとっては、この初期位置が最大絞り開口制御位置であって、３枚の絞り羽根６，７，８を、開口部１ａの全開状態にさせている。そのため、この絞り装置が一眼レフカメラに取り付けられている場合には、光学ファインダによって被写体像の観察が可能になっている。また、固体撮像素子を備えているデジタルカメラ（ビデオカメラを含む）に取り付けられている場合には、液晶ファインダによって被写体像の観察が可能になっている。そして、このような図１の状態において、レリーズボタンが押されると、測光回路の測定結果に応じて絞り値が決められ、最大絞り開口で撮影を行うべきと判断された場合は、このままの状態で撮影が行われる。従って、撮影が終了したときにもこの状態のままである。
【００２１】
他方、その他の絞り開口で撮影すると判断された場合には、それに対応したパルス信号が固定子のコイルに与えられ、回転子４は、図１において反時計方向へ回転させられ、歯車５，３を介して、絞りリング２を反時計方向へ回転させる。そのため、絞りリング２は、カム溝２ａ，２ｂ，２ｃがピン６ｂ，７ｂ，８ｂを押すことによって、３枚の絞り羽根６，７，８を同時に反時計方向へ回転させ、開口部１ａを覆わせていく。そして、３枚の絞り羽根６，７，８が協働して絞り開口を小さくしてゆき、絞りリング２が所定の絞り開口制御位置に達すると、固定子のコイルに対するパルス信号が断たれ、回転子４の回転が停止する。図６は、そのようにして、絞りリング２が、最小絞り開口の制御位置で停止した状態を示したものである。従って、周知のように、静止画像を撮影する場合には、絞りリング２は、所定の制御位置で停止したままであるが、動画撮影の場合には、被写体輝度の変化に対応して、その都度、撮影中にいずれかの方向へ回転することになる。
【００２２】
このようにして適正な絞り開口で撮影が終了すると、回転子４を時計方向へ回転させるためのパルス信号が固定子のコイルに与えられる。そのため、絞りリング２は時計方向へ回転させられが、そのときカム溝２ａ，２ｂ，２ｃがピン６ｂ，７ｂ，８ｂを押して３枚の絞り羽根６，７，８を、同時に時計方向へ回転させるので、開口部１ａが開放されていく。そして、その後、開口部１ａが全開になると、固定子のコイルに対するパルス信号が断たれるので、絞りリング２は初期位置で停止し、図１に示された撮影待機状態に復帰したことになる。
【００２３】
ところで、本実施例の構成からも分かるように、絞りリング２は、収容部１ｃ内において、光軸Ｏの軸方向に対して垂直方向へ移動するのを４箇所で制限されている。即ち、３箇所は、絞りリング２の外周面が地板１の突起部１ｉ，１ｊ，１ｋに接触することによって、もう１箇所は、絞りリング２の突起部２ｈが地板１の側壁１ｄに接触することによって制限されている。そのうち、前者の３箇所で制限するようにしている構成は、特許文献１に記載の構成と実質的に同じであるが、絞りリング２の歯部２ｇの近傍位置に突起部２ｈを形成し、それを地板１の側壁１ｄに接触させるようにした構成は、本実施例の独特の構成である。そして、それらの接触箇所には、当然のことながら、接触部位間に公差が設けられている。また、絞りリング２の歯部２ｇと歯車３の歯部との間にも、配置位置関係の公差やバックラッシがある。
【００２４】
そこで、その独特の構成について説明するが、そのためには、図１において、突起部２ｈと接触している側壁１ｄの箇所に、地板１側としては第４の突起部を、突起部１ｉ，１ｊと類似の形状にして形成し、絞りリング２には突起部２ｈを形成せず、外周面をその第４の突起部に接触させるようにした構成と比較して説明するのが分かり易い。そして、そのように想定した場合の構成では、第４の突起部と突起部１ｊとの角度間隔を、これ以上小さくすることが困難であるといえる。その理由は、図１と図６の両方を見てみれば分かるように、これ以上小さくすると、第４の突起部と突起部１ｊとの少なくとも一方が、絞りリング２の歯部２ｇの作動角度範囲内に形成されることになってしまうからである。また、それだからといって、絞りリング２の回転角度が小さくて済むようにしようとすると、カム溝２ａ，２ｂ，２ｃの長さを短くして傾きを大きくする必要があるため、変化する絞り開口の大きさ及び形状を常に高精度に得ることが困難になってしまうからである。
【００２５】
そのため、そのように想定した構成の場合には、第４の突起部と突起部１ｊとの角度間隔が、他の３箇所の角度間隔よりも大きなものとなり、しかも、絞りリング２の歯部２ｇと歯車３の歯部との間にはバックラッシなどがあるため、絞りリング２は、図１において常に右下方向へ移動し易く、姿勢が不安定な構成になる。そして、絞りリング２が、図１に示されている位置よりも右下方向へ移動した場合には、三つのカム溝２ａ，２ｂ，２ｃによって絞り羽根６，７，８のピン６ｂ，７ｂ，８ｂを押す量が、夫々異なるため、光軸Ｏを中心にした理想形の絞り開口が得られなくなってしまう。このような事態は、周知のように、図１に示されたような絞り開口の大きいときには殆ど問題にならないが、絞り開口が小さいときには、適正な光量制御ができなくなったり、露光ムラを生じさせる原因になる。また、絞りリング２の歯部２ｇと歯車３の歯部との噛合関係が一定化しないため、特に、ビデオカメラに採用した場合には、小さい絞り開口制御領域において、絞りリング２が、被写体輝度の変化に対応して、常に均一且つ円滑に回転しないようになる。
【００２６】
それに対して、本実施例の場合には、絞りリング２の歯部２ｇの近傍位置に突起部２ｈを形成し、それを地板１の側壁１ｄに接触させるようにしたので、上記のような想定した構成における問題点は解消されている。また、本実施例における絞りリング２の姿勢は、図１に示された開口部１ａの全開状態の場合に限り、実際の最大絞り開口は、絞り羽根６，７，８の協働で規制されているのではなく、開口部１ａによって記載されている。そして、この状態から、絞りリング２が反時計方向へ回転し始めると、絞りリング２の突起部２ｈと地板１の突起部１ｊの角度間隔は、徐々に小さくなっていく。
【００２７】
そして、絞り開口が、開口部１ａより若干小さい制御位置では、上記の想定した構成の場合よりは明らかに良好とはいえ、基準の絞り開口の大きさから若干ずれる可能性がある。しかしながら、そのようなずれが生じても、絞り開口が大きいときには許容範囲内のずれである。そして、絞りリング２が、さらに反時計方向へ回転していくと、絞りリング２の突起部２ｈと地板１の突起部１ｊとの角度間隔は益々小さくなって、最終的には、図６に示されている最小絞り開口制御位置において、絞りリング２の突起部２ｈと地板１の突起部１ｋとの角度間隔と略同じになる。そのため、少なくとも小さい絞り開口制御領域においては、絞りリング２の姿勢は常に適正に保たれ、上記のような図６の右下方向への移動は全く生じないので、上記のような想定した構成の場合における問題点は全くなくなる。
【００２８】
尚、本実施例の場合には、地板１の外形に制約を受けていて側壁１ｄを円形に形成することができないため、絞り羽根６，７，８の配置も考慮して、地板１には三つの突起部１ｉ，１ｊ，１ｋを設けているが、側壁１ｄを円形に形成することができる場合には、それらの突起部を二つだけとすることが可能である。しかしながら、必要があれば、三つ以上としても構わない。また、そのような二つ以上の突起部のうち少なくとも一つ又は全部を、地板１に形成するのではなく、本実施例の突起部２ｈのように絞りリング２の外周面に形成しても差し支えない。そして、それらの全部を絞りリング２に形成する場合には、突起部２ｈを含めて三つの突起部を略等角度間隔で形成するのが理想的である。
【００２９】
更に、本実施例の場合には、絞りリング２の突起部２ｈが、地板１の側壁１ｄに線接触するように形成されているのに対して、地板１の突起部１ｉ，１ｊ，１ｋは、絞りリング２の外周面に対して面接触するように形成されている。絞りリング２の突起部２ｈを、地板１の側壁１ｄに対して線接触するように形成しているのは、言うまでもなく、絞りリング２の突起部２ｈが地板１の側壁１ｄを摺動するとき、摩擦抵抗を少なくして、少しでも絞りリング２の回転が円滑となるようにするためである。しかしながら、絞りリングに形成される本発明の突起部は、そのような形状に限定されることなく、面接触する形状にしても構わない。また、地板１の突起部１ｉ，１ｊ，１ｋを絞りリング２の外周面に対して面接触するように形成しているのは、地板１が合成樹脂製であるため、線接触するように形成すると、金属製の絞りリング２との摺接によって、磨耗したり破損したりするようになるからである。従って、そのようなおそれがない場合には、上記した全ての突起部は、相手の部材と線接触する形状にするのが好ましい。
【図面の簡単な説明】
【００３０】
【図１】絞りリングが最大絞り開口制御位置にある状態を示した実施例の平面図である。
【図２】実施例に用いられている地板の平面図である。
【図３】実施例に用いられている絞りリングの平面図である。
【図４】絞りリングを地板に組み付ける過程を示した実施例の平面図である。
【図５】絞りリングが地板に組み付けられた状態を示す実施例の平面図である。
【図６】絞りリングが最小絞り開口制御位置にある状態を示した実施例の平面図である。
【符号の説明】
【００３１】
１                            地板
１ａ                          開口部
１ｂ                          基準面
１ｃ，１ｔ，１ｕ              収容部
１ｄ                          側壁
１ｅ，１ｆ，１ｇ              押さえ片
１ｉ，１ｊ，１ｋ，２ｈ        突起部
１ｍ，１ｎ，１ｐ              羽根取付部
１ｑ，１ｒ，１ｓ，１ｖ        孔
１ｗ                          軸
２                            絞りリング
２ａ，２ｂ，２ｃ              カム溝
２ｄ，２ｅ，２ｆ              切欠き部
２ｇ                          歯部
３，５                        歯車
４                            回転子
６，７，８                    絞り羽根
６ａ，７ａ，８ａ              軸部
６ｂ，７ｂ，８ｂ              ピン
【図１】
2007298729.tif 000003
【図２】
2007298729.tif 000004
【図３】
2007298729.tif 000005
【図４】
2007298729.tif 000006
【図５】
2007298729.tif 000007
【図６】
2007298729.tif 000008